(57)【要約】【課題】柔軟に貼着可能で、高い美観が得られる保護フィルム及び保護フィルムを備えた水栓を提供する【解決手段】保護フィルム５０は、フィルム状の部材からなり、表側が装飾面５１として構成され、裏側が剥離自在な接着剤が塗着された貼着面として構成されている。保護フィルム５０は、輪郭が水栓１０の本体外観面１１ａを平面に展開した形状に形成されている。水栓１０は、保護フィルム５０が外観面１０ａに貼着されている。【選択図】図１
2020147924.tif 000002
【特許請求の範囲】
【請求項１】
水栓の外観面に貼着して使用する保護フィルムであって、前記保護フィルムは、フィルム状の部材からなり、表側が装飾面として構成され、裏側が剥離自在な接着剤が塗着された貼着面として構成されていることを特徴とする水栓用の保護フィルム。
【請求項２】
前記保護フィルムは、輪郭が水栓の本体外観面を平面に展開した形状に形成されていることを特徴とする請求項１に記載の保護フィルム。
【請求項３】
請求項１または請求項２に記載の保護フィルムが、外観面に貼着されていることを特徴とする水栓。
【請求項４】
前記水栓は、施工状態において、前記保護フィルムが貼着可能に構成されていることを特徴とする請求項３に記載の水栓。
【発明の詳細な説明】
【技術分野】
【０００１】
本発明は、水栓用の保護フィルム及び保護フィルムを備えた水栓に関する。
【背景技術】
【０００２】
特許文献１には、水栓本体の下面中央部に貼着することにより、水栓本体の表面を手指の爪の接触による傷付き等から保護する金属メッキシートが開示されている。
【先行技術文献】
【特許文献】
【０００３】
【特許文献１】実用新案登録第２５９１２０８号公報
【発明の概要】
【発明が解決しようとする課題】
【０００４】
特許文献１の金属メッキシートは、金属メッキが施されたものであり、通常、金属メッキを施す金属メッキシートの母材となるのは、金属製の板材である。そのような金属メッキシートは、ある程度曲げることはできるが、金属製の板材が許容する範疇での曲げであって、柔軟性に欠けるものであった。そのため、水栓本体に貼着する際、シートの大きさや貼着する箇所が限定されていた。また、このメッキシートは、あくまで水栓本体のメッキ表面を代替的に構成するものであって、元のメッキ表面に対し美観を低下させることはあっても向上させるものではなかった。本発明は、こうした実情に鑑みてなされたものであり、その目的は、水栓の外観面に柔軟に貼着可能で、高い美観が得られる水栓用の保護フィルム及び保護フィルムを備えた水栓を提供することにある。
【課題を解決するための手段】
【０００５】
上記課題を解決するために、本発明は、水栓の外観面に貼着して使用する保護フィルムであって、前記保護フィルムは、フィルム状の部材からなり、表側が装飾面として構成され、裏側が剥離自在な接着剤が塗着された貼着面として構成されていることを特徴とする。
【０００６】
上記構成において、前記保護フィルムの輪郭が水栓の本体外観面を平面に展開した形状に形成されていることが好ましい。
【０００７】
上記課題を解決する水栓は、前記保護フィルムが、外観面に貼着されている。
【０００８】
上記課題を解決する水栓は、施工状態において、前記保護フィルムが貼着可能に構成されている。
【発明の効果】
【０００９】
以上のように本発明は、フィルム状の部材からなり、表側が装飾面として構成され、裏側が剥離自在な接着剤が塗着された貼着面として構成されているため、水栓の外観面に柔軟に貼着可能で、高い美観が得られる保護フィルム及び保護フィルムを備えた水栓を提供することができる。
【図面の簡単な説明】
【００１０】
【図１】（ａ）は、保護フィルムを貼着する前の水栓の斜視図。（ｂ）は、保護フィルムが貼着された水栓の斜視図。
【図２】（ａ）は、図１（ａ）の水栓の本体外観面を示す平面図。（ｂ）は、図１（ａ）の水栓の本体外観面を示す正面図。（ｃ）は、図１（ａ）の水栓の本体外観面を示す底面図。
【図３】図１（ａ）の水栓の本体外観面を平面に展開した形状を示す平面図。
【図４】保護フィルムの平面図。
【図５】図４のＡ方向から見た保護フィルムの拡大側面図。
【発明を実施するための形態】
【００１１】
以下、本発明の実施例を図面に基づいて説明する。
本実施例の保護フィルム５０は、水栓１０の本体外観面１１ａに貼着されるものである。図１（ａ）は、保護フィルム５０を貼着する前の水栓１０の斜視図であり、図１（ｂ）は、保護フィルム５０が貼着された水栓１０の斜視図である。図１（ｂ）において保護フィルム５０は、クロスハッチングを付した領域として表されている。
【００１２】
水栓１０について説明する。
水栓１０は、湯，水及び湯と水との混合水を吐水することができる浴室用の湯水混合水栓（以下、単に水栓１０という）である。図１（ａ）に示すように、水栓１０における水栓本体１１の後部の給水口及び給湯口（図示しない）には、湯側ソケット３０及び水側ソケット３１がそれぞれ接続され、それらの湯側ソケット３０及び水側ソケット３１は、給湯源及び給水源から壁２０の裏へ延びる湯側配管及び水側配管（図示しない）にそれぞれ連結される。それにより水栓１０は、壁２０に取り付けられた状態となる。そして、水栓本体１１の後部のシャワー吐出口３２には、シャワーホース３３が接続され、そのシャワーホース３３の先端にはシャワーヘッド（図示しない）が接続されている。図１（ａ）に示すように、水栓本体１１の下部のカラン吐出口３４には、吐水パイプ３５が回動自在に接続されている。
【００１３】
図１（ａ）に示すように、水栓本体１１の右端には、吐止水切換ハンドル４０が設けられ、水栓本体１１と吐止水切換ハンドル４０の間には円筒状の切換カラー４１が設けられている。また、水栓本体１１の左端には温度調節ハンドル４２が設けられ、水栓本体１１と温度調節ハンドル４２の間には円筒状の温調カラー４３が設けられている。水栓１０は、吐止水切換ハンドル４０を回転操作することにより、止水,シャワー側吐水,カラン側吐水の切換えをすることができ、さらにそれぞれの流量を調節することができる。そして、温度調節ハンドル４２を回転操作することにより、吐水する湯水の温度を調節することができる。
【００１４】
水栓１０の本体外観面１１ａについて説明する。
図１（ａ）に示すように、水栓１０において、水栓表面全体のうち使用者の視界に入りやすい箇所を水栓１０の外観面１０ａとする。そして、水栓１０の外観面１０ａにおいて、水栓本体１１が占める部分を水栓１０の本体外観面１１ａとする。水栓１０の本体外観面１１ａは、保護フィルム５０を貼着する前の水栓１０の平面図である図２（ａ）、同じく正面図である図２（ｂ）及び、同じく底面図である図２（ｃ）において平行斜め線のハッチングを付した領域にて構成されている。そして、水栓１０の本体外観面１１ａを平面に展開すると、図３のように表される。
【００１５】
保護フィルム５０について説明する。
保護フィルム５０は、厚さ０．１ｍｍのポリエチレン系フィルムにて形成されている。そのため、保護フィルム５０は、金属製の板材等と比べ、非常に柔軟性を有している。保護フィルム５０の表側は、図５に示すように、装飾面５１として構成されており、図４においてクロスハッチングを付した領域として表されている。装飾面５１には、使用者の好みの模様等が印刷されていることが好ましい。図５に示すように、保護フィルム５０の裏側は、貼着面５２として構成されており、水栓１０の本体外観面１１ａに対して剥離自在な接着剤５３が塗着されている。また、貼着面５２には離型紙（図示しない）が設けられ、離型紙は保護フィルム５０が水栓に貼着されるまでの間、接着剤５３を保護している。
また、保護フィルム５０はその輪郭が、図３に示される水栓１０の本体外観面１１ａを平面に展開した形状と略同形状に形成されている。
【００１６】
保護フィルム５０の貼着について説明する。
まず、保護フィルム５０との干渉を避けるため、吐水パイプ３５を壁２０側へ回転移動させる。そして、離型紙を剥がし、保護フィルム５０が水栓１０の本体外観面１１ａと合致するように貼着する。
この際、保護フィルム５０の動線上に干渉するものは存在せず、施工状態のまま、すなわち水栓１０や水栓１０の部品を取り外すことなく、保護フィルム５０の貼着ができる状態となっている。
【００１７】
本実施形態においては、以下の効果がある。
（１）保護フィルム５０は、柔軟なフィルム状の部材からなり、表側が装飾面５１として構成されているため、曲面を含んだ水栓１０の外観面１０ａに柔軟に貼着可能で、高い美観を得ることができる。また、保護フィルム５０は、様々なバリエーションの装飾面５１を用意することができるため、使用者は装飾面５１を選択して積極的に美観を楽しむことができる。
【００１８】
（２）保護フィルム５０は、輪郭が水栓１０の本体外観面１１ａを平面に展開した形状に形成されているため、一度の作業だけで簡単に貼着することできる。また、水栓１０の外観面１０ａの大部分を占める水栓１０の本体外観面１１ａを、切れ間なく一体的に装飾することができるため、効果的に水栓１０の美観を向上させる。
【００１９】
（３）保護フィルム５０及び水栓１０は、水栓１０の施工状態、すなわち通水可能に壁２０に取り付けられた状態において、水栓１０や水栓１０の部品を取り外すことなく保護フィルム５０が貼着可能な構成であるため、施工業者等に依頼することなく使用者が簡単に保護フィルム５０を貼り替えることができる。
【００２０】
本実施形態は、以下のように変更して実施することができる。本実施形態及び以下の変更例は、技術的に矛盾しない範囲で互いに組み合わせて実施することができる。
・保護フィルム５０を貼着する水栓１０の部位は、水栓１０の本体外観面１１ａに限定されない。例えば、ハンドルの外観面や吐水パイプの外観面であってもよい。
・保護フィルム５０は、一枚のフィルムとして貼着することができるものであれば、何層構造であってもよい。例えば、模様等が印刷された印刷層の上に透明なコーティング層を設けた２層構造とすると、経年使用で模様等が磨耗するのを抑制することができる。また、保護フィルム５０は何枚か重ねて貼着してもよい。
【００２１】
・保護フィルム５０の大きさや厚さ、材質、表面処理を使用者の用途に合わせて変更してもよい。
・保護フィルム５０の装飾面５１に表されるのは模様に限定されない。写真やイラストであってもよいし、単色塗りや金属メッキ調であってもよい。また美観を保てる範囲で、保護フィルム５０を全面透明としてもよい。
【符号の説明】
【００２２】
１０…水栓、１１…水栓本体、１１ａ…水栓１０の本体外観面、５０…保護フィルム、５１…装飾面、５２…貼着面。
【図１】
2020147924.tif 000003
【図２】
2020147924.tif 000004
【図３】
2020147924.tif 000005
【図４】
2020147924.tif 000006
【図５】
2020147924.tif 000007